(57)【要約】【課題】本発明は、足腰の弱い者であってもベッドから簡易便器に非常に容易に移乗することが出来る簡易便器用移乗板を提供することを課題とする。【解決手段】便器本体２の上面の両側縁に肘掛け３の前後一対の支柱５を着脱可能に嵌合する嵌合孔７を設けた簡易便器１の側部に取付ける移乗板１１であって、一方の肘掛け３を支柱５とともに取外し、該前後一対の嵌合孔７に着脱可能に嵌合する前後一対の突起１２を裏面一側端に突設した簡易便器用移乗板１１を提供する。【選択図】    図１
2005110809.tif 000002
【特許請求の範囲】
【請求項１】
便器本体の上面の両側縁に肘掛けの前後一対の支柱を着脱可能に嵌合する嵌合孔を設けた簡易便器の側部に取付ける移乗板であって、一方の肘掛けを支柱とともに取外し、該前後一対の嵌合孔に着脱可能に嵌合する前後一対の突起を裏面一側端に突設したことを特徴とする簡易便器用移乗板。
【請求項２】
該突起の下部にはネジ部が設けられており、該突起を該便器本体の嵌合孔に挿着し、該便器本体の下側から該突起のネジ部にナットを螺着して締付ける請求項１に記載の簡易便器用移乗板。
【発明の詳細な説明】
【技術分野】
【０００１】
本発明は簡易便器用の移乗板に関する。
【背景技術】
【０００２】
従来、使用者が側方から容易に移乗することが出来る簡易便器の移乗板としては、便器本体における座面を延長した形態をなし、ベッド上の使用者を寝かせた状態でベッドから移乗させ、座面とともに使用者の身体を支える、便器本体とともに移動する状態で便器本体に一体的に設けられた移乗板が提供されている（特許文献１参照）。
【０００３】
また、ポータブルトイレの上にスライドレールが設置できる機構を作り、そのレールをベッドと接続できるようにし、該レールに沿って便座がスムーズに移動できる構造にしたポータブルトイレ装置が提供されている（特許文献２参照）。
【０００４】
【特許文献１】特開２００１−２４５８２１号公報（第４−８頁、第１図）
【特許文献２】特開２００２−３０１１２０号公報（第２−３頁、第２図）
【発明の開示】
【発明が解決しようとする課題】
【０００５】
しかしながら上記従来のポータブル便器では、肘掛板（補助台）を水平に寝かせた状態とすることによって座面とベッドの上面とを連絡した状態とするので、該肘掛板の高さ（補助台の幅）は肘掛けとして使用するのに適した高さに限られることとなり、そのため補助台の幅（肘掛板の高さ）が制限される。従って、補助台の幅を十分大きく設定することが出来ず、移乗板をベッドに差渡したときに該移乗板がベッドから外れることがあるという問題があった。
【０００６】
また、上記従来のポータブルトイレ装置では、スライドレールを設けているため、製造する際に高い設計精度が要求され、製造コストが高くなるという問題があり、更に、該スライドレールは伸縮することができず、不使用時においてもそのままトイレチェアのフレームの側面側に立てておくものであるため、使用者や介護者が該トイレ装置の周辺を移動する際に邪魔になるという問題があった。
【課題を解決するための手段】
【０００７】
本発明は上記従来の課題を解決するための手段として、便器本体(2) の上面の両側縁に肘掛け(3) の前後一対の支柱(5) を着脱可能に嵌合する嵌合孔(7) を設けた簡易便器(1) の側部に取付ける移乗板(11)であって、一方の肘掛け(3) を支柱(5) とともに取外し、該前後一対の嵌合孔(7) に着脱可能に嵌合する前後一対の突起(12)を裏面一側端に突設した簡易便器用移乗板(11)を提供するものである。
該突起(12)の下部にはネジ部(16)が設けられており、該突起(12)を該便器本体(2) の嵌合孔(7) に挿着し、該便器本体(2) の下側から該突起(12)のネジ部(16)にナット(17)を螺着して締付けることが望ましい。
【発明の効果】
【０００８】
本発明の簡易便器用移乗板(11)では、使用者が簡易便器(1) に側方から移乗する場合に、該移乗板(11)を簡易便器(1) に取付けてベッドとの間に差渡し、該移乗板(11)に体を預けて移乗することが出来るため、足腰の弱い者であっても非常に容易に移乗することが出来、その上、従来のように移乗板(11)の幅が制限されることがないため、移乗板(11)をベッドに差渡したときに、該移乗板(11)がベッドから外れることがない。
また、該移乗板(11)は高い設計精度が要求されることがないため、製造コストを低く抑えることが出来、更に、不使用時には該移乗板(11)を簡易便器(1) の便器本体(2) 側部に引掛けておけばよいので、従来のように跳ね上げた移乗板(11)が邪魔になることがない。
【発明を実施するための最良の形態】
【０００９】
以下、本発明を実施例１および実施例２により詳細に説明する。
【実施例１】
【００１０】
本発明を図１〜図４に示す一実施例によって説明する。
図１および図２に示すように、簡易便器(1) の便器本体(2) の上面の両側縁には肘掛け(3) を着脱可能に取付けるための取付部(4) がそれぞれ凹設されており、該取付部(4) の前後には肘掛け(3) の前後一対の支柱(5) の根端部(6) を嵌合するための嵌合孔(7) がそれぞれ設けられており、該取付部(4) の中央部には肘掛け(3) の基台(8) 下面の支持ブロック(9) を嵌合するための嵌合凹部(10)が設けられている。
【００１１】
該簡易便器(1) の側部に取付けられる簡易便器用移乗板(11)の表面は平滑面とされており（図１参照）、該移乗板(11)の裏面の一側端には前後一対の突起(12)が突設されており、該移乗板(11)の裏面の一側端の中央部には嵌合突部(13)が設けられており、また、該突起(12)の側面には引掛け凹部(14)が設けられている。更に、該移乗板(11)の裏面には、複数本の補強リブ(15)が設けられている（図２参照）。
なお、該移乗板(11)は合成樹脂を材料としてブロー成形によって製造されている。
【００１２】
移乗板(11)を使用する場合には、図３に示すように、一方の肘掛け(3) を支柱(5) とともに簡易便器(1) から取外し、簡易便器(1) の取付部(4) の嵌合孔(7) に移乗板(11)の突起(12)を嵌合するとともに、簡易便器(1) の取付部(4) の嵌合凹部(10)に移乗板(11)の嵌合突部(13)を嵌合することによって、該簡易便器(1) の側部に該移乗板(11)を取付けて、該移乗板(11)をベッド（図示せず）との間に差渡す。
このとき、簡易便器(1) の取付部(4) の嵌合孔(7) に移乗板(11)の突起(12)が嵌合しており、かつ、簡易便器(1) の取付部(4) の嵌合凹部(10)に移乗板(11)の嵌合突部(13)が嵌合しているため、移乗板(11)を安定かつ確実に簡易便器(1) の便器本体(2) に取付けることが出来、該移乗板(11)が簡易便器(1) の便器本体(2) から不意に外れることがない。
【００１３】
移乗板(11)を使用しない場合には、移乗板(11)を簡易便器(1) から取外し、図４に示すように、移乗板(11)の裏面の突起(12)を簡易便器(1) の便器本体(2) 側部に引掛ける。
このとき、該移乗板(11)の裏面の突起(12)の側面には引掛け凹部(14)が設けられているため、該引掛け凹部(14)が簡易便器(1) の便器本体(2) の上面側端部に引掛かり、該移乗板(11)が該簡易便器(1) の便器本体(2) から不意に外れることがない。
【００１４】
上記のようにして簡易便器(1) に移乗板(11)を取付けることによって、使用者が簡易便器(1) に側方から移乗する場合に、該移乗板(11)を簡易便器(1) に取付けてベッドとの間に差渡し、該移乗板(11)に体を預けて移乗することが出来るため、足腰の弱い者であっても容易に移乗することが出来る。また、該移乗板(11)の表面が平滑面とされているため、使用者は非常に容易に該移乗板(11)上を移乗することが出来る。
その上、従来のように移乗板(11)の幅が制限されることがないため、移乗板(11)の幅を十分大きく設定することが出来、移乗板(11)をベッドに差渡したときに該移乗板(11)がベッドから外れることがない。
【００１５】
更に、該移乗板(11)は高い設計精度が要求されることがないため、製造コストを低く抑えることが出来、また、不使用時には該移乗板(11)を簡易便器(1) の便器本体(2) 側部に引掛けておけばよいので、従来のように跳ね上げた移乗板(11)が邪魔になることがない。
【実施例２】
【００１６】
図５および図６には他の実施例が示される。
本実施例では、簡易便器(1) の便器本体(2) の上面の両側縁には肘掛け(3) の前後一対の支柱(5) の根端部(6) を嵌合するための嵌合孔(7) がそれぞれ設けられており、一方、該簡易便器(1) の側部に取付けられる簡易便器用移乗板(11)の表面は平滑面とされており、該移乗板(11)の裏面の一側端には前後一対の突起(12)が突設されており、簡易便器用移乗板(11)裏面の前後一対の突起(12)の下部にはネジ部(16)が設けられており、該移乗板(11)の裏面には、複数本の補強リブ(15)が設けられている（図５参照）。
【００１７】
該移乗板(11)を使用する場合には、図６に示すように、一方の肘掛け(3) を支柱(5) とともに簡易便器(1) から取外し、簡易便器(1) の嵌合孔(7) に移乗板(11)の突起(12)を挿入し、該便器本体(2) の下側から該突起(12)のネジ部(16)にナット(17)を螺着して締付けることによって、該簡易便器(1) の側部に該移乗板(11)を取付けて、該移乗板(11)をベッド（図示せず）との間に差渡す。
このとき、簡易便器(1) の嵌合孔(7) に移乗板(11)の突起(12)が嵌合しており、かつ、該突起(12)のネジ部(16)にナット(17)が螺着して締付けられているため、移乗板(11)を非常に安定かつ確実に簡易便器(1) の便器本体(2) に取付けることが出来、該移乗板(11)が簡易便器(1) の便器本体(2) から不意に外れることがない。
【００１８】
以上、本発明の実施の形態を実施例により説明したが、本発明の範囲はこれらに限定されるものではなく、請求項に記載された範囲内において目的に応じて変更・変形することが可能である。
【産業上の利用可能性】
【００１９】
本発明は、簡易便器用の移乗板として、産業上利用することが出来る。
【図面の簡単な説明】
【００２０】
【図１】実施例１の簡易便器用移乗板と簡易便器の分解斜視図である。
【図２】実施例１の簡易便器用移乗板の裏面斜視図である。
【図３】実施例１の簡易便器用移乗板（使用状態）の斜視図である。
【図４】実施例１の簡易便器用移乗板（不使用状態）の斜視図である。
【図５】実施例２の簡易便器用移乗板と簡易便器の分解斜視図である。
【図６】実施例２の簡易便器用移乗板（使用状態）の側断面図である。
【符号の説明】
【００２１】
1  簡易便器
2  便器本体
3  肘掛け
5  支柱
7  嵌合孔
11  移乗板
12  突起
16  ネジ部
17  ナット
【図１】
2005110809.tif 000003
【図２】
2005110809.tif 000004
【図３】
2005110809.tif 000005
【図４】
2005110809.tif 000006
【図５】
2005110809.tif 000007
【図６】
2005110809.tif 000008
【手続補正書】
【提出日】平成15年10月10日(2003.10.10)
【手続補正１】
【補正対象書類名】図面
【補正対象項目名】全図
【補正方法】変更
【補正の内容】
【図１】
2005110809.tif 000009
【図２】
2005110809.tif 000010
【図３】
2005110809.tif 000011
【図４】
2005110809.tif 000012
【図５】
2005110809.tif 000013
【図６】
2005110809.tif 000014